(57)【要約】【課題】手のひらと打撃面の一体感が得られて、パターヘッドの打撃面の方向がつかみやすく、打撃面を目標線に直角にセットすることが容易で、カップインの確率を高めることができるパタークラブのグリップを提供する。【解決手段】本パタークラブのグリップは、パタークラブのシャフトに取り付けて用いられ、断面形状が略々長方形状のパタークラブのグリップであって、パターヘッドの打撃面に平行でかつ前記略々長方形状の長辺側に位置し互いに平行な２面の平面部と、短辺側に位置し前記平面部間に形成された面取部が設けられる。【選択図】  図２
2007130202.tif 000002
【特許請求の範囲】
【請求項１】
パタークラブのシャフトに取り付けて用いられ、断面形状が略々長方形状のパタークラブのグリップであって、パターヘッドの打撃面に平行でかつ前記略々長方形状の長辺側に位置し互いに平行な２面の平面部と、短辺側に位置し前記平面部間に形成された面取部が設けられたことを特徴とするパタークラブのグリップ。
【請求項２】
一側端面あるいは一側端面近傍からシャフトが取り付けられる他側端面あるいは他側端面近傍にかけて断面積が漸減しかつ、前記平面部から見た面取部の面積が漸増あるいは一定であることを特徴とする請求項１に記載のパタークラブのグリップ。
【請求項３】
一側端面あるいは一側端面近傍からシャフトが取り付けられる他側端面あるいは他側端面近傍にかけて断面積が一定でかつ、前記平面部から見た面取部の面積が漸増することを特徴とする請求項１に記載のパタークラブのグリップ。
【請求項４】
前記面取部は直線同士の組み合わせ、直線と曲線の組み合わせ、曲線、あるいは、曲線同士の組み合わせで形成されることを特徴とする請求項１ないし３のいずれか１項に記載のパタークラブのグリップ。
【請求項５】
前記一側端面の長辺の長さは３０ｍｍ以上であることを特徴とする請求項１ないし４のいずれか１項に記載のパタークラブのグリップ。
【発明の詳細な説明】
【技術分野】
【０００１】
本発明はパタークラブのグリップに係り、特に形状を改良したパタークラブのグリップに関する。
【背景技術】
【０００２】
ゴルフのパットプレーに用いられるパタークラブは、パターヘッドと、このパターヘッドが一端に取り付けられるシャフトと、このシャフトの他端に取り付けられ、プレーヤが両手で握るグリップからなっている。
【０００３】
パットプレーにおいて、ボールを目的方向に打ち出すことが重要であり、それにはパターヘッドの打撃面（フェイス）を目標線（パッティングライン）に沿ってストロークすることが必要である。
【０００４】
従来のパタークラブのグリップは断面が円形状であったり、丸みを帯びた五角形状であった（特許文献１）。
【０００５】
しかし、このようにグリップの断面が円形状あるいは丸みを帯びた五角形状では、手のひらと打撃面の一体感が得られず、パターヘッドの打撃面の方向がつかみにくく、パターヘッドの打撃面を打球の目標線に対して直角に向けることが難しく、ボールをプレーヤが想定する目標線に向かって正確に転がすことができず、カップインの確率が低かった。
【特許文献１】実用新案登録第３０８０５５４号公報
【発明の開示】
【発明が解決しようとする課題】
【０００６】
本発明は上述した事情を考慮してなされたもので、手のひらと打撃面の一体感が得られて、パターヘッドの打撃面の方向がつかみやすく、打撃面を目標線に直角にセットすることが容易で、カップインの確率を高めることができるとともに、握りやすいパタークラブのグリップを提供することを目的とする。
【課題を解決するための手段】
【０００７】
上述した目的を達成するため、本発明に係るパタークラブのグリップは、パタークラブのシャフトに取り付けて用いられ、断面形状が略々長方形状のパタークラブのグリップであって、パターヘッドの打撃面に平行でかつ前記略々長方形状の長辺側に位置し互いに平行な２面の平面部と、短辺側に位置し前記平面部間に形成された面取部が設けられたことを特徴とする。
【０００８】
好適には、一側端面からシャフトが取り付けられる他側端面あるいは他側端面近傍にかけて断面積が漸減しかつ、前記平面部から見た面取部の面積が漸減あるいは一定である。
【０００９】
また、好適には、一側端面からシャフトが取り付けられる他側端面あるいは他側端面近傍にかけて断面積が一定でかつ、前記平面部から見た面取部の面積が漸減する。
【００１０】
また、好適には、前記面取部は直線同士の組み合わせ、直線と曲線の組み合わせ、あるいは、曲線同士の組み合わせで形成される形状を有することを特徴とする。
【００１１】
また、好適には、前記一側端面の長辺の長さは３０ｍｍ以上である。
【発明の効果】
【００１２】
本発明に係るパタークラブのグリップによれば、手のひらと打撃面の一体感が得られて、パターヘッドの打撃面の方向がつかみやすく、打撃面を目標線に直角にセットすることが容易で、カップインの確率を高めることができるとともに、握るやすいパタークラブのグリップを提供することができる。
【発明を実施するための最良の形態】
【００１３】
以下、本発明の第１実施形態に係るパタークラブのグリップについて添付図面を参照して説明する。
【００１４】
図１は本発明の第１実施形態に係るパタークラブのグリップを取り付けたパタークラブの平面図、図２は本発明の第１実施形態に係るパタークラブのグリップの平面図、図３はその反シャフト側の平面図、図４はシャフト側の平面図である。
【００１５】
図１乃至図４に示すように、本第１実施形態のグリップを取り付けたパター１は、金属製で打撃面２ａを備えたパターヘッド２と、このパターヘッド２が一端に取り付けられるシャフト３と、このシャフト３の他端に取り付けられ、プレーヤが両手で握るグリップ４からなっている。
【００１６】
このグリップ４は、例えば合成ゴム製で、反シャフト側である一側端面４ａからシャフト側端面である他側端面４ｂに向かって断面積が漸減し、その断面形状が略々長方形状をなす先細、細長の截頭長方形錐形状をなしている。
【００１７】
一側端面４ａはグリップ４の断面と相似形をなし、打撃面２ａに平行な平面部４ｃ、４ｃが連なる長辺の長さ（面取り前）Ｂ、長辺と直交する短辺の長さＥとする長方形状をなし、各短辺側が面取りされて他側端面４ｂに至る面取部４ｄ、４ｄが設けられている。この面取部４ｄは角取りの曲線４ｄ１と短辺の一部である直線４ｄ２の組み合わせによって形成される形状を有している。なお、一側端面４ａの長辺の長さＢは、３０ｍｍ以上であるのが好ましい。
【００１８】
一方、シャフト側端面である他側端面４ｂには円形状のシャフト挿入孔４ｅが設けられ、他側端面４ｂも反シャフト側端面４ａの長方形状よりも小さな長方形状（正方形状）をなし、打撃面２ａに平行する側及びこれに対向する側は長さ（面取り前）Ａの長辺、この長辺と直交する側は長さＨとする短辺をなし、面取部４ｄ、４ｄに連るように各短辺側が曲線例えば曲率Ｃの円弧で面取りされている。
【００１９】
なお、本実施形態では上側の面取部と下側の面取部を同一形状にした例で説明したが、長辺に平行な中心線に対して対称な面取部になっていれば、上下の面取部の形状は同一である必要はない。
【００２０】
平面部４ｃはグリップ４の打撃面２ａに平行でかつ互いに平行な２面からなり、一側端面４ａの長辺側から他側端面４ｂの長辺側まで、平面部４ｃから見てその面積が漸減するように延びている。
【００２１】
また、面取部４ｄは、一側端面４ａの短辺側から他側端面４ｂの短辺側まで、平面部４ｃから見てその面積が漸減するように設けられている。
【００２２】
プレーヤが握りやすいようにＣ、Ｆの曲率を設定し、さらに、Ａ、Ｈ、Ｅはシャフト３の外径（一般的には１４ｍｍ前後）以上、Ｂは２５ｍｍ以上が好ましく、Ｃ≧Ｄ、Ｆ≧Ｇが好ましい。
【００２３】
好ましい具体例として、Ａが２２ｍｍ、Ｂが３５ｍｍ、Ｈ、Ｅが２０ｍｍ、曲率はＣ、Ｆが１０ｍｍ、Ｄが３ｍｍ、Ｇが６ｍｍ程度で、全長が２５０ｍｍくらいが適当である。
【００２４】
グリップ４は左右対称に作られているので、プレーヤがどちらの手でも打撃面２ａの方向をつかみやすくなっている。
【００２５】
本実施形態のグリップは上記構造を有するので、大きな面積の平面部を通して、手のひらと打撃面の一体感が得られて、パターヘッドの打撃面の方向がつかみやすく、打撃面を目標線に直角にセットすることが容易である。また、グリップの断面積が漸減し、面取部の面積が漸増するように設けられているので、平面部の面積が大きくなっているにもかかわらず、グリップを握り易く、手のひらと打撃面の一体感がより確実に得られる。さらに、一側端面の長辺の長さＢが３０ｍｍ以上にすることにより、グリップを握り易く手のひらと打撃面の一体感が得られる。
【００２６】
上述のように本第１実施形態のグリップによれば、手のひらと打撃面の一体感が得られて、パターヘッドの打撃面の方向がつかみやすく、打撃面を目標線に直角にセットすることが容易で、カップインの確率を高めることができるとともに、握るやすいパタークラブのグリップが実現される。
【００２７】
次に第２実施形態のパタークラブのグリップについて説明する。
【００２８】
本第２実施形態は、第１実施形態の面取部が一側端面の短辺側から他側端面の短辺側まで、その面積が漸減するのに対して、面取部の面積が一定である。
【００２９】
例えば、図５に示すように、グリップ４１の面取部４１ｄは、一側端面４ａの短辺側から他側端面４ｂの短辺側まで、平面部４ｃから見てその面積が一定である。これにより、大きな面積の平面部を通して、手のひらと打撃面の一体感が得られて、パターヘッドの打撃面の方向がつかみやすく、打撃面を目標線に直角にセットすることが容易である。漸減するグリップと面取部により、平面部の面積が大きくなっているにもかかわらず、グリップを握り易く手のひらと打撃面の一体感がより確実に得られる。
【００３０】
なお、他の構成は図２に示すグリップと異ならないので、同一符号を付して説明は省略する。
【００３１】
また、第３実施形態のパタークラブのグリップについて説明する。
【００３２】
本第３実施形態は、第１実施形態のグリップが一側端面から他側端面に向かって断面積が漸減する先細であるのに対して、グリップの断面積が一定である。
【００３３】
例えば、図６に示すように、グリップ４２の断面積が一定であり、グリップ４２の面取部４２ｄは、一側端面４ａの短辺側から他側端面４ｂの短辺側に向かって面積が漸増する。
【００３４】
これにより、より大きな面積の平面部を通して、手のひらと打撃面の一体感が得られて、パターヘッドの打撃面の方向がつかみやすく、打撃面を目標線に直角にセットすることが容易である。漸増する面取部により、平面部の面積が大きくなっているにもかかわらず、グリップを握り易く手のひらと打撃面の一体感がより確実に得られる。
【００３５】
また、第４実施形態のパタークラブのグリップについて説明する。
【００３６】
本第４実施形態は、第１実施形態のグリップが一側端面から他側端面に向かって断面積が漸減する先細であるのに対して、一側端面近傍まで同一形状を有し、他側端面近傍が先細りの截頭円錐形状をなしている。
【００３７】
例えば、図７に示すように、グリップ４３は一側端面４３ａから一側端面４３ｂ近傍まで同一断面形状であり、面取部４３ｄは一側端面４３ａ近傍からの他側端面４３ｂ近傍まで面積が漸増し、他側端面４３ｂ近傍からの他側端面４３ｂに渡って截頭円錐形状になっている。
【００３８】
これにより、第１実施形態と同様の効果が得られる。
【００３９】
なお、上記各実施形態において、面取部の形状を図３に示すように、小円弧と直線の組み合わせにより形成したが、図８（ａ）に示すように、直線と直線の組み合わせ、図８（ｂ）に示すように、弧状の曲線により、図８（ｃ）に示すように、曲線と曲線の組み合わせにより形成してもよい。
【図面の簡単な説明】
【００４０】
【図１】本発明の第１実施形態のパタークラブのグリップを取り付けたパターの側面図。
【図２】本発明の第１実施形態のパタークラブのグリップの平面図。
【図３】本発明の第１実施形態のパタークラブのグリップの反シャフト側の側面図。
【図４】本発明の第１実施形態のパタークラブのグリップのシャフト側の側面図。
【図５】本発明の第２実施形態のパタークラブのグリップの平面図。
【図６】本発明の第３実施形態のパタークラブのグリップの平面図。
【図７】本発明の第４実施形態のパタークラブのグリップの平面図。
【図８】（ａ）〜（ｃ）は、本発明のパタークラブのグリップに形成される面取部の変形例を示す概念図。
【符号の説明】
【００４１】
１  パター
２ａ  打撃面
２  パターヘッド
３  シャフト
４  グリップ
４ａ  一側端面
４ｂ  他側端面
４ｃ  平面部
４ｄ  面取部
４ｄ１  曲線
４ｄ２  直線
４ｅ  シャフト挿入孔
【図１】
2007130202.tif 000003
【図２】
2007130202.tif 000004
【図３】
2007130202.tif 000005
【図４】
2007130202.tif 000006
【図５】
2007130202.tif 000007
【図６】
2007130202.tif 000008
【図７】
2007130202.tif 000009
【図８】
2007130202.tif 000010